(57)【要約】【課題】装置に対する電極部の接続状態の異常を簡単に検知できること。【解決手段】電解質測定装置１は、装置に着脱可能な少なくとも一つ以上のイオン選択性電極及び着脱可能な比較電極から構成される電極部１０と、電極部１０からの電位を受け入れるための信号入力回路１１と、イオン選択性電極と比較電極の出力に対して、差動増幅する差動増幅回路１５と、差動増幅回路１５の出力信号を用いてイオン濃度計算を行う信号処理回路１４と、電極部１０にイオン選択性電極の起電力を上回る直流電圧を印加する直流電源と、信号入力回路と信号処理回路間を結ぶ配線部１３と、を有する。信号処理回路１４は、電極部１０の個別の電極それぞれについて、電極部１０に直流電圧が印加された後、信号入力回路１１の信号を配線部１３を介して計測したときの電位に基づき、装置に対する接続状態を判定する。【選択図】図１
2019128319.tif 000002
【特許請求の範囲】
【請求項１】
装置に着脱可能な少なくとも一つ以上のイオン選択性電極及び着脱可能な比較電極から構成される電極部と、
前記電極部からの電位を受け入れるための信号入力回路と、
前記イオン選択性電極と前記比較電極の出力に対して、差動増幅する差動増幅回路と、
前記差動増幅回路の出力信号を用いてイオン濃度計算を行う信号処理回路とからなる電解質測定装置において、
前記電極部に前記イオン選択性電極の起電力を上回る直流電圧を印加する直流電源と、
前記信号入力回路と前記信号処理回路間を結ぶ配線部と、を有し、
前記信号処理回路は、前記電極部の個別の前記電極それぞれについて、前記電極部に前記直流電圧が印加された後、前記信号入力回路の信号を前記配線部を介して計測したときの電位に基づき、装置に対する接続状態を判定することを特徴とする電解質測定装置。
【請求項２】
前記電極部は、一端が接地され、他端は前記信号入力回路に接続され、
前記信号入力回路の電極部側の一部には、他端が接地されたコンデンサが接続され、
前記信号処理回路は、前記直流電源から前記コンデンサに充電完了後、前記コンデンサの残留電位を計測することで、個別の前記電極それぞれの接続状態を判定することを特徴とする請求項１に記載の電解質測定装置。
【請求項３】
前記直流電源は、前記信号入力回路内に配置された演算増幅器用の電源であることを特徴とする請求項２に記載の電解質測定装置。
【請求項４】
前記電極部の一端には、スイッチを介して接地と直流電源が接続選択可能に配置され、
前記電極部の他端には、信号入力回路の整流回路部が配置され、前記整流回路部のコンデンサはスイッチを介して接地され、
前記コンデンサが接地しない状態で前記直流電源から前記電極部に直流電圧を印加し、前記電極部に誘起される電圧を前記信号処理回路により計測することで、個別の前記電極それぞれの接続状態を判定することを特徴とする請求項１に記載の電解質測定装置。
【請求項５】
前記電極部には、液アース電極が配置されていることを特徴とする請求項１〜４のいずれか一つに記載の電解質測定装置。
【請求項６】
装置に着脱可能な少なくとも一つ以上のイオン選択性電極及び着脱可能な比較電極から構成される電極部と、前記電極部からの電位を受け入れるための信号入力回路と、前記イオン選択性電極と前記比較電極の出力に対して、差動増幅する差動増幅回路と、前記差動増幅回路の出力信号を用いてイオン濃度計算を行う信号処理回路と、前記電極部に前記イオン選択性電極の起電力を上回る直流電圧を印加する直流電源と、前記信号入力回路と前記信号処理回路間を結ぶ配線部と、を有する電解質測定装置の電極部の接続状態の判定方法において、
前記電極部に直流電圧を印加する第１のステップと、
前記信号入力回路の信号を前記配線部を介して信号処理回路が計測する第２のステップと、
前記信号処理回路により個別の電極の装置に対する接続状態を判定する第３のステップと、
を含むことを特徴とする電解質測定装置の電極部の接続状態の判定方法。
【発明の詳細な説明】
【技術分野】
【０００１】
本発明は、イオン選択性電極を用いた測定部に、希釈した試料を供して試料の電解質濃度を測定する電解質測定の技術にかかり、特に、尿や血清等の電解質（Ｎａ：ナトリウム、Ｋ：カリウム、Ｃｌ：塩素など）イオン濃度を測定する電解質測定装置及び電解質測定装置の電極部の接続状態の判定方法に関する。
【背景技術】
【０００２】
従来、尿や血清等の電解質イオン濃度を測定する装置として、イオン選択性電極を使用した電解質測定装置が知られている。このような装置としては、イオン選択性電極と比較電極とを用いて、試料を希釈液で希釈することによって生成した試料溶液の起電力を計測し、また、比較用の基準液の起電力を計測する。そして、これら試料溶液と基準液とのそれぞれの計測データを基に、試料溶液に含まれる被測定成分の電解質イオン濃度を測定するようになっている。
【０００３】
図４は、従来の一般的な電解質測定装置の構成を示す図である。電解質測定装置は、測定部であるイオン選択性電極部４１、検体試料の前処理と前記電極部への供給を行う検体試料供給部４２、希釈用容器４３、希釈液供給部４４、標準液供給部４５、ポンプ部４６、そして電極部の起電力を計測する信号入力回路４７、差動増幅回路４８及び信号処理回路４９とから構成される。
【０００４】
電極部４１には、例えばナトリウム（Ｎａ）、カリウム（Ｋ）、塩素（Ｃｌ）の各イオン選択性電極及び比較電極（Ｒｅｆ）が配置される。
【０００５】
図５は、電解質測定装置の各イオン選択性電極の構造例を示す図である。イオン選択性電極の支持体５２上に貼られたイオン感応膜５１は、流路５６と支持体５２に設けられた空孔（図中の点線部）を通じて検体試料溶液と接触している。支持体５２は、筐体部材５３、５４間に挟持され、内部の空隙には、塩化カリウム水溶液などの内部液が充填されており、また、空隙内に挿入されている銀／塩化銀電極５５により、局部電池を形成している。銀／塩化銀電極５５の筐体部材の外側の部分は、着脱可能な接続プラグなどを介して電解質測定装置に結線されている（例えば、下記特許文献３参照。）。
【０００６】
これらの各電極に、図４の希釈用容器４３にて調製された液を導入して、各電極から発生する電位を計測する。各電極で発生した電位は、信号入力回路４７へ導入された後、差動増幅回路４８にて比較電極を基準とした電位差に変換され、信号処理回路４９に送られ、標準液濃度と比較して、それぞれの検体中のイオン濃度を算出する。
【０００７】
従来の電解質測定装置として、測定電極と構成電極を判別する技術（例えば、下記特許文献１参照。）、電極コネクタの断線や外れ、電極の劣化などの異常を検出する技術（例えば、下記特許文献２参照。）、イオン選択性電極の特性劣化を防ぐ技術（例えば、下記特許文献３参照。）等が開示されている。
【先行技術文献】
【特許文献】
【０００８】
【特許文献１】特開２００２−２５７７８２号公報
【特許文献２】特開２０１６−２１８０６７号公報
【特許文献３】特開２０１６−１８０６３０号公報
【発明の概要】
【発明が解決しようとする課題】
【０００９】
従来の技術では、測定に異常がないことを容易に検出することができないという問題があった。
【００１０】
従来、一般的な電解質測定装置では、複数のイオン選択性電極が着脱可能な方法で、電解質測定装置に装着されている。この場合、個別の電極について、電気端子の接続忘れ、接続不良或いは断線などにより、正常な測定ができていない可能性があった。しかし、電極ケーブルや液アースケーブルの接続不良や、断線や外れがあっても、測定値が通常検体の測定と同等のレベルであるため、正しく測定が行われているかどうかを区別することが困難であった。
【００１１】
これらの理由により、上記特許文献１に記載の技術では、別途検出用センサーや電極挿入検知スイッチなどの専用の検出装置を設けて各電極の電気的接続状態を判定している。しかし、この方法では、測定回路内に新たにセンサー検出回路を設けるなど電気的構造を追加する変更が必要となり、装置の煩雑性を増す欠点を有していた。
【００１２】
また、上記特許文献２に記載の技術では、希釈液と標準液を使った実際の手順に従った測定を行わないと異常を検出できないという煩雑さを有している。また、比較電極の電極ケーブルの接続不良や断線や外れは検出できないという技術的な欠点を有していた。
【００１３】
本発明は、上記課題に鑑み、装置に対する電極部の接続状態の異常を簡単に検知できることを目的とする。
【課題を解決するための手段】
【００１４】
上記の課題を解決するために、本発明の電解質測定装置は、装置に着脱可能な少なくとも一つ以上のイオン選択性電極及び着脱可能な比較電極から構成される電極部と、前記電極部からの電位を受け入れるための信号入力回路と、前記イオン選択性電極と前記比較電極の出力に対して、差動増幅する差動増幅回路と、前記差動増幅回路の出力信号を用いてイオン濃度計算を行う信号処理回路とからなる電解質測定装置において、前記電極部に前記イオン選択性電極の起電力を上回る直流電圧を印加する直流電源と、前記信号入力回路と前記信号処理回路間を結ぶ配線部と、を有し、前記信号処理回路は、前記電極部の個別の前記電極それぞれについて、前記電極部に前記直流電圧が印加された後、前記信号入力回路の信号を前記配線部を介して計測したときの電位に基づき、装置に対する接続状態を判定することを特徴とする。
【００１５】
上記構成によれば、特に電極部に意図して大きな直流電源を接続して、回路の一部に直流電位を生じさせ、その電位を計測することで、電極部の各電極の接続の異常を簡単に検知することができる。
【００１６】
また、前記電極部は、一端が接地され、他端は前記信号入力回路に接続され、前記信号入力回路の電極部側の一部には、他端が接地されたコンデンサが接続され、前記信号処理回路は、前記直流電源から前記コンデンサに充電完了後、前記コンデンサの残留電位を計測することで、個別の前記電極それぞれの接続状態を判定することを特徴とする。
【００１７】
上記構成によれば、信号入力回路内に設けたコンデンサに直流電源を接続後切断し、コンデンサの残留電荷の減衰量を計測することで簡単に電極部の各電極の接続の異常を検知することができる。
【００１８】
また、前記直流電源は、前記信号入力回路内に配置された演算増幅器用の電源であることを特徴とする。
【００１９】
上記構成によれば、特に新たな構成部品を用いることなく既存の回路構成を用いて簡単に電極部の各電極の接続の異常を検知することができる。
【００２０】
また、前記電極部の一端には、スイッチを介して接地と直流電源が接続選択可能に配置され、前記電極部の他端には、信号入力回路の整流回路部が配置され、前記整流回路部のコンデンサはスイッチを介して接地され、前記コンデンサが接地しない状態で前記直流電源から前記電極部に直流電圧を印加し、前記電極部に誘起される電圧を前記信号処理回路により計測することで、個別の前記電極それぞれの接続状態を判定することを特徴とする。
【００２１】
上記構成によれば、コンデンサが接地しない状態で前記直流電源から前記電極部に直流電圧を印加し、前記電極部に誘起される電圧を前記信号処理回路により計測する簡単な手順で電極部の各電極の接続の異常を検知することができる。
【００２２】
また、前記電極部には、液アース電極が配置されていることを特徴とする。
【００２３】
上記構成によれば、液アース電極を含めて異常接続を検知できる。
【００２４】
また、本発明の電解質測定装置の電極部の接続状態の判定方法は、装置に着脱可能な少なくとも一つ以上のイオン選択性電極及び着脱可能な比較電極から構成される電極部と、前記電極部からの電位を受け入れるための信号入力回路と、前記イオン選択性電極と前記比較電極の出力に対して、差動増幅する差動増幅回路と、前記差動増幅回路の出力信号を用いてイオン濃度計算を行う信号処理回路と、前記電極部に前記イオン選択性電極の起電力を上回る直流電圧を印加する直流電源と、前記信号入力回路と前記信号処理回路間を結ぶ配線部と、を有する電解質測定装置の電極部の接続状態の判定方法において、前記電極部に直流電圧を印加する第１のステップと、前記信号入力回路の信号を前記配線部を介して信号処理回路が計測する第２のステップと、前記信号処理回路により個別の電極の装置に対する接続状態を判定する第３のステップと、を含むことを特徴とする。
【００２５】
上記構成によれば、特に電極部に意図して大きな直流電源を接続して、回路の一部に直流電位を生じさせ、その電位を計測することで、電極部の各電極の接続の異常を簡単に検知することができる。
【００２６】
そして、上記構成の電解質測定装置は、イオン選択性電極、比較電極及び液アース電極のプラグ等の断線や外れといった電極部の接続状態の異常検知を、専用の検出用装置を追加することなく行うことができる。また、イオン濃度が既知の標準液を使った実測定を行うことも不要である。しかも実測定開始前に簡便に確認できるため、その後常に正常な状態で検体計測ができる。
【発明の効果】
【００２７】
本発明によれば、電解質測定装置は、イオン選択性電極、比較電極及び液アース電極のプラグ等の断線や外れといった電極部の接続状態の異常を簡単に検知できるという効果を奏する。
【図面の簡単な説明】
【００２８】
【図１】図１は、本発明の実施の形態１にかかる電解質測定装置の回路構成図である。
【図２】図２は、実施の形態１の電解質測定装置の信号入力回路の詳細を示す回路図である。
【図３】図３は、本発明の実施の形態２にかかる電解質測定装置の回路構成図である。
【図４】図４は、従来の一般的な電解質測定装置の構成を示す図である。
【図５】図５は、電解質測定装置の各イオン選択性電極の構造例を示す図である。
【発明を実施するための形態】
【００２９】
（実施の形態１）
以下に、本発明の電解質測定装置及び電解質測定装置の電極部の接続状態の判定方法の実施の形態１を詳細に説明する。
【００３０】
（回路説明）
図１は、本発明の実施の形態１にかかる電解質測定装置の回路構成図である。図１には、電解質測定装置１が有する全体構成のうち、主に、電極部１０の接続検出、および判定にかかる構成を記載している。電解質測定装置１が有する他の構成部（図４の検体試料供給部４２、希釈用容器４３、希釈液供給部４４、標準液供給部４５、ポンプ部４６等）は、図４と同様の構成であり、説明を省略する。
【００３１】
電極部１０は、信号入力回路１１に接続され、信号入力回路１１の出力は、差動増幅部１２を介して信号処理回路１４に出力される。
【００３２】
電極部１０には、ナトリウムイオン選択性電極（Ｎａ）、カリウムイオン選択性電極（Ｋ）、塩素イオン選択性電極（Ｃｌ）と比較電極（Ｒｅｆ）、液アース電極（ＬＧ）の各電極が、図５に示す各電極の流路５６が直線上になるよう配置されている。電解質測定装置１には、電極部１０のイオン選択性電極と比較電極がそれぞれプラグなどで装置本体の配線と着脱可能な状態で実装されている。
【００３３】
ここで、電極部１０の液アース電極（ＬＧ）は、流路に導入される液体の電位を接地する目的で設けられ、測定系のノイズを低減する機能を有している。各イオン選択性電極の銀／塩化銀電極５５の端子部と接地間の抵抗は、イオン選択性電極の内部液と流路５６に溶液が充填された状態で、数百キロオーム（ｋΩ）程度である。
【００３４】
本発明の電解質測定装置１においては、実際の検体の測定操作前に、以下に詳述する個別の各電極（ナトリウムイオン選択性電極（Ｎａ）、カリウムイオン選択性電極（Ｋ）、塩素イオン選択性電極（Ｃｌ）と比較電極（Ｒｅｆ）、液アース電極（ＬＧ））の接続状態の判定動作を行う。電極部１０のそれぞれの電極からの電位は、それぞれの銀／塩化銀電極５５（図５参照）から、プラグ等のコネクタを経由して、信号入力回路１１に導入される。
【００３５】
図２は、実施の形態１の電解質測定装置の信号入力回路の詳細を示す回路図である。電極部１０の複数の電極にそれぞれ設けられる回路を示す。以下の説明では、回路構成は各イオン選択性電極で共通するため、比較電極と一つのイオン選択性電極の構成について、本発明の原理を詳細に説明する。
【００３６】
信号入力回路１１は、整流回路部２１と受信部２４とによって構成される。整流回路部２１は、信号に直列接続された抵抗２２と、一端が接地された並列接続のコンデンサ２３からなる。例えば、整流回路部２１には、抵抗２２として１メガオーム（ＭΩ）の金属皮膜素子を用い、コンデンサ２３として０．０１マイクロファラド（μＦ）のフィルムコンデンサを用いる。各電極からの信号は、整流回路部２１に導入されてノイズ等が除去された後、受信部２４に送られる。受信部２４では、演算増幅器２５で信号を増幅して次の差動増幅部１２に出力する。
【００３７】
受信部２４は、演算増幅器２５、正の直流電源２６、負の直流電源２９、高抵抗素子２７、スイッチ２８からなる。受信部２４の演算増幅器２５には、正の直流電源２６と、スイッチ２８を介して負の直流電源２９が接続され、それぞれ５ボルトの正負の直流電圧が印加される。高抵抗素子２７は、正負の直流電源間の電気的ショートを防止するのが目的で、１０キロオーム（ｋΩ）程度の抵抗素子を用いている。
【００３８】
演算増幅器２５の出力は２つに分岐されている（図１参照）。演算増幅器２５の出力の一方は、配線部１３を通じて信号処理回路１４にも送られ、本発明のプラグ等の接続異常判定のための信号として利用される。演算増幅器２５の出力の他方は、差動増幅部１２の差動増幅回路１５に送られ、差動増幅回路１５は、各イオン選択性電極からの信号と比較電極（Ｒｅｆ）からの信号の差分信号を増幅し、信号処理回路１４に導入する。信号処理回路１４では、濃度既知の標準液と、濃度未知の検体希釈溶液の前記差分信号の大きさにより、電解質イオン濃度を演算する。
【００３９】
（測定順序の説明）
次に、上述した電解質測定装置による測定順序を説明する。この説明では、特に、電極部１０の接続異常を検出する処理について説明する。先ず、電極部１０に希釈液を送り、流路５６を満たす。
【００４０】
その後、電極部１０の接続異常の検出（接続検出モード）のために、信号入力回路１１内の受信部２４のスイッチ２８をオフ（遮断）にし、演算増幅器２５に印加されている負の直流電源を切り離す。
【００４１】
これにより、演算増幅器２５の正の直流電源と、整流回路部２１及び電極部の流路５６を通じて接地される回路が形成され、コンデンサ２３には正電圧（＋５ボルト）が充電される。この電圧は、電極部で各イオン選択性電極が誘起する電位、例えばＮａイオン選択性電極の最大起電力に比べて、はるかに高い電位である。この回路条件では、スイッチ２８のオフ時間がコンデンサの充電時間になる。コンデンサ２３の充電完了時間は  約０．５秒程度でよく、この後、スイッチ２８は再びショートされ、コンデンサ２３への充電は終了し、電解質測定装置は通常計測モードに戻る。
【００４２】
この状態で、電極部のプラグ等が正常に接続されている場合、コンデンサ２３の残留電荷は電極部１０を介して放電される。このときのコンデンサ２３の放電時定数は、概ね抵抗２２と前記電極部１０の各イオン選択性電極の銀／塩化銀電極５５の端子部と接地間の抵抗とコンデンサ２３の容量で決まる。
【００４３】
ここで、実際に、電極部１０のプラグ等が正常に接続されている場合は、上記の放電時定数によって放電される。しかし、電極部１０の接続が切れている等の異常の場合には、コンデンサ２３の電荷は演算増幅器２５の内部抵抗などにより放電されるため、その残留電位の減衰速度は、正常接続時に比べて格段に遅くなる。
【００４４】
よって、スイッチ２８をオンに戻して演算増幅器２５へ負の直流電圧を印加し、電解質測定装置を通常測定状態に戻した状態で、信号入力回路１１に現れる電位を、配線部１３を介して信号処理回路１４にて計測する。このときに計測される電位は、前記コンデンサ２３に充電されている残留電荷による電位である。それぞれのイオン選択性電極が正常に接続されている場合、ほぼゼロボルトを示すことになる。
【００４５】
しかし、プラグ抜け等の異常がある場合、この電位が上記の正電圧（＋５ボルト）に対応するスレッショルドとして予め定めた規定値（例えば３ボルト）より高い値を示すなら、コンデンサ２３から電極部１０を介して電荷が放電されなかったと判断でき、よって電極部１０の接続に異常があると判定することができる。
【００４６】
この際、信号処理回路１４は、外部に異常通知を出力することで、ユーザ等に表示や音声で電極部１０の接続の異常を通知することができる。
【００４７】
また、複数のイオン選択性電極の信号が一斉に高い値を示す場合、液アース（ＬＧ）ケーブルの接続異常や断線を疑うことができ、信号処理回路１４は、液アース（ＬＧ）ケーブルの接続異常の旨を通知してもよい。
【００４８】
上記計測後は、電極部１０に過大な外部電圧を加えるリスクを最小にするため、速やかにスイッチ２８を元の状態に戻し、通常計測モードに戻すことが望ましい。
【００４９】
また、電解質測定装置１に設けられる不図示の制御部等がスイッチ２８等の切り替え制御を行い、通常計測モードの開始前に電極部１０の接続検出モードに切り替え、所定時間を有して接続検出モードを自動実行する構成としてもよい。
【００５０】
（実施の形態２）
以下に、本発明の電解質測定装置及び電解質測定装置の電極部の接続状態の判定方法の実施の形態２を詳細に説明する。
【００５１】
（回路説明）
図３は、本発明の実施の形態２にかかる電解質測定装置の回路構成図である。図３に示す電解質測定装置１において、実施の形態１（図１、図２）と同じ構成には同じ符号を付与している。また、実施の形態２においても、実際の検体の測定操作前に、以下に詳述する個別の電極の接続状態を判定する動作は、実施の形態１と同様である。
【００５２】
回路上において、実施の形態１と異なる点は、電極部１０と接地との間に、スイッチ３３、３４を設けて、正の直流電源３５と接地を切り替えられるように構成している。また、実施の形態１（図２）の受信部２４のスイッチ２８を削除し、代わって整流回路部２１のコンデンサ２３と接地との間にスイッチ３２を配置している。また、正の直流電源３５には、それぞれのイオン選択性電極の起電力よりもはるかに高い正電位（＋４ボルト）を用いている。
【００５３】
図３に示す例では、電極部１０の液アース電極（ＬＧ）と接地との間に、並列及び直列接続されたスイッチ３３，３４を設けている。スイッチ３３は正の直流電源３５を介して接地されている。
【００５４】
（測定順序の説明）
先ず電極部に希釈液を送り、電極部１０の流路５６を満たす。その後、信号入力回路３１内のスイッチ３２をオフし、コンデンサ２３と接地を切り離す。また同時に電極部１０に連結されたスイッチ３４をオフし、接地との接続を遮断する。その後スイッチ３３をオンすることで、正の直流電源３５との接続を行う。
【００５５】
この回路状態で、直流電源３５の電圧（＋４ボルト）は、電極部１０付近の抵抗と抵抗２２により抵抗分割され、実施の形態２の条件では、大部分抵抗２２に印加される。よって各電極部に印加された正の直流電源３５の電圧は、電極部１０を通じて信号入力回路３１に到達し、演算増幅器２５の出力として配線部１３を経由して信号処理回路１４にて計測される。
【００５６】
よって信号処理回路１４での計測結果が、直流電源３５の電圧（＋４ボルト）に対応するスレッショルドとして予め定めた規定値（例えば＋３ボルト程度）以上であれば、電極部１０の接続は正常であると判定可能である。反対に、信号処理回路１４での計測結果が規定値未満であれば、正の直流電源３５から信号処理回路１４への回路が形成されてないと判断でき、電極部１０の接続状態は異常と判断することが可能である。
【００５７】
上記計測後は、電極部１０に過大な外部電圧を加えるリスクを最小にするため、速やかに各スイッチ３２、３３、３４を元の状態に戻し、通常計測モードに戻すことが望ましい。尚、前記スイッチ３２をオフにしてコンデンサ２３を接地から切り離すことは、直流電源３５の電圧（＋４ボルト）印加により電極部１０に流れる電流を抑制するために行っている操作である。
【００５８】
以上説明した各実施の形態によれば、電解質測定装置は、イオン選択性電極、比較電極及び液アース電極のプラグ等の断線や外れといった電極部の各電極の接続状態の異常検知を、専用の検出用装置を追加することなく行うことができる。
【００５９】
また、イオン濃度が既知の標準液を使った実測定を行うことも不要である。しかも、電解質測定装置による実測定開始前に簡便に接続状態を確認できるため、接続状態の確認後は、常に正常な状態で検体計測ができるようになる。
【００６０】
また、電極部のそれぞれの電極の残留電位を検出するため、イオン選択性電極ばかりではなく、比較電極についても有効に接続状態を判定できるものであり、この点は従来技術では得られない特徴を有する。また、実施の形態１，２によれば、イオン濃度が既知の標準液などを使う必要がなく、簡便に行えるという特徴も有する。
【００６１】
そして、上記各実施の形態によれば、イオン選択性電極、比較電極の電極ケーブルや液アースケーブルの断線や外れ等の電極部の接続状態の異常を、専用の検出用装置を追加することなく、また、測定層との状態に依存せずに検出することができる。また、イオン濃度が既知の標準液を使った実測定を行うことも不要である。しかも実測定開始前に簡便に確認できるため、その後常に正常な状態で検体計測ができるようになる。
【００６２】
また、上記各実施の形態によれば、電極の接続状態を監視するための余分なセンサー等を必要としないため、既存の電解質測定装置に後付けが容易に可能であり、低コストに装置の性能向上を図ることができる。
【産業上の利用可能性】
【００６３】
本発明は、血液や尿等の生体液中に溶解している電解質イオン濃度の測定を目的としたイオン選択性電極を用いる医療用の分析装置に用いるのに好適である。
【符号の説明】
【００６４】
１  電解質測定装置
１０  電極部
１１，３１  信号入力回路
１２  差動増幅部
１３  配線部
１４  信号処理回路
１５  差動増幅回路
２１  整流回路部
２２  抵抗
２３  コンデンサ
２４  受信部
２５  演算増幅器
２６，３５  正の直流電源
２７  高抵抗素子
２８，３２，３３，３４  スイッチ
２９  負の直流電源
【図１】
2019128319.tif 000003
【図２】
2019128319.tif 000004
【図３】
2019128319.tif 000005
【図４】
2019128319.tif 000006
【図５】
2019128319.tif 000007